(57)【特許請求の範囲】
【請求項１】
複数の消費製品と、
前記製品を保持し、封入するための製品パッケージと、
を含み、
前記パッケージは、前記製品を包んで折り畳まれる単一の平面シートから形成され、前記単一の平面シートは、前記製品を封入するために、前記製品を支持する上半分と前記上半分に対して押し付けられる下半分とを有し、折り畳まれた前記単一の平面シートは、前記製品を覆う部分と、折り畳み可能なフラップを画定するために前記製品を越えて延びる延在部とを画定し、
前記単一の平面シートは、前記製品の少なくとも一部を覆う位置に切り込み線を付けられ、
前記折り畳み可能なフラップは、前記切り込み線を付けられた位置の上に折り畳まれ、接着して固定されるので、前記フラップを開口する際に、前記切り込み線を付けられた位置は、前記製品の少なくとも一部を覆う前記位置から取り除かれて、分配するために前記製品を露出し、
前記フラップは、再閉位置を画定するために露出された前記製品の上に再閉可能である、
再閉可能な消費製品パッケージアセンブリ。
【請求項２】
前記フラップは、再閉位置において、解放可能に接着して固定される、請求項１に記載の再閉可能なパッケージアセンブリ。
【請求項３】
前記平面シートは、ホイルから形成される、請求項１に記載の再閉可能なパッケージアセンブリ。
【請求項４】
前記平面シートは、紙とホイルの組み合わせから形成される、請求項１に記載の再閉可能なパッケージアセンブリ。
【請求項５】
前記シートは、レーザーで切り込み線を付けられた、請求項１に記載の再閉可能なパッケージアセンブリ。
【請求項６】
前記シートは、その側端の周囲でヒートシールされる、請求項５に記載の再閉可能なパッケージアセンブリ。
【請求項７】
前記製品は、並んだアレイで配置される、細長いガムスラブである、請求項１に記載の再閉可能なパッケージアセンブリ。
【請求項８】
前記平面シートは、その１つの表面上にフラッドコートヒートシールおよびそのいずれかの表面上にコールドシール位置を含む、請求項１に記載の再閉可能なパッケージアセンブリ。
【請求項９】
前記コールドシール位置は、前記切り込み線の位置で結合するための恒久的なコールドシールおよび前記フラップを再閉するための解放可能なコールドシールを含む、請求項８に記載の再閉可能なパッケージアセンブリ。
【請求項１０】
前記平面シートは、ロールで供給される、請求項８に記載の再閉可能なパッケージアセンブリ。
【請求項１１】
前記製品パッケージは、その上にオーバーラッカーコーティングを有する、請求項１に記載の再閉可能なパッケージアセンブリ。
【請求項１２】
前記製品の少なくとも一部を覆う前記位置は、前記オーバーラッカーコーティングを含まない範囲を含み、前記範囲は、その上に再閉可能な接着剤を含む、請求項１１に記載の再閉可能なパッケージアセンブリ。
【請求項１３】
前記折り畳み可能なフラップは、前記位置で解放可能な接着剤と解放可能に接着して結合する、請求項１２に記載の再閉可能なパッケージアセンブリ。
【請求項１４】
前記折り畳み可能なフラップは、恒久的な接着剤を用いて前記切り込み線の位置で固定される、請求項１に記載の再閉可能なパッケージアセンブリ。
【請求項１５】
前記折り畳み可能なフラップは、解放可能な接着剤によってさらに固定される、請求項１４に記載の再閉可能なパッケージアセンブリ。
【請求項１６】
前記製品は、対面したアレイで配置される細長いガムスティックである、請求項１に記載の再閉可能なパッケージアセンブリ。
【請求項１７】
前記折り畳まれたシートは、下側フラップを含み、前記下側フラップは、前記切り込み線の位置を含む、請求項１に記載の再閉可能なパッケージアセンブリ。
【請求項１８】
前記折り畳み可能なフラップは、前記下側フラップの上で折り畳み可能である、請求項１７に記載の再閉可能なパッケージアセンブリ。
【発明の詳細な説明】
【技術分野】
【０００１】
（関連出願の相互参照）
本出願は、２００９年２月２日に出願された米国仮特許出願第６１／２０６，６２９号；２００９年２月２０日に出願された米国仮特許出願第６１／２０８，１３４号；および２００９年１０月８日に出願された米国仮特許出願第６１／２４９，６５４号の優先権を主張し、それらの内容はその全体が参照として本明細書に組み込まれる。
【０００２】
本発明は、概して、１つ以上の菓子製品を含有するためのパッケージであって、１つ以上の製品の取り出しを可能にするように開口され得る、パッケージに関する。より具体的には、本発明は、繰り返し再閉され得る、複数の菓子製品を含有し、分配するための開口可能な密閉ポーチに関する。
【背景技術】
【０００３】
チューイングガム、チョコレート、キャンディまたは他の菓子製品のピースなどの特定の消費可能な製品は、典型的に、個々の製品が、そのパッケージから１つの製品を個々に分配しやくすることを可能にするアレイに配列されるパッケージに収容されている。消費者は、通常、１回でパッケージに含有される製品の全てより少ない数を消費するので、その中に残っている製品を含有するためにパッケージが再閉され得ることが望まれる。このタイプの再閉可能な製品パッケージの一例は、同一出願人による２００６年２月９日に公開された特許文献１（それは全ての目的のために本明細書に参照として組み込まれる）に示されている。このパッケージは、個々の製品を保持し、パッケージから分配するのに適切に役立つが、その中に残っている製品を保持するために再閉される必要があり、そのパッケージは、製品を保持するための入れ物のパッケージと、そのパッケージに接着して結合される、その入れ物のパッケージを覆うカバーの両方を必要とする。カバーは、開口する際に、製品を露出してパッケージを開口するフラップを備える。カバーフラップは、製品を保持するために閉じられ得る。
【０００４】
パッケージの費用効率を維持するために、特に少数の製品を収容して、１単位として販売することが望まれる場合、パッケージは、効率的かつ経済的に製造されなければならない。そのような効率的な製造により、パッケージについてのコストが節約されるので、パッケージ製品全体についてのコストも節約される。
【先行技術文献】
【特許文献】
【０００５】
【特許文献１】米国特許出願公開ＵＳ−２００６−００２７４８３−Ａ１
【発明の概要】
【課題を解決するための手段】
【０００６】
本発明は、再閉可能な消費製品パッケージアセンブリを提供する。その製品パッケージアセンブリは、複数の消費可能な製品を含む。その製品パッケージは、製品を保持し、封入する。そのパッケージは、製品の周囲で折り畳まれる平面シートから形成される。折り畳まれたシートは、製品を覆う部分と、折り畳み可能なフラップを画定するために製品を超えて延在する延在部とを画定する。そのシートは、製品の少なくとも一部を覆う位置に切り込み線がつけられている。折り畳み可能なフラップは、切り込み線の位置で折り畳まれて、接着して固定される。フラップを開口する際に、切り込み線の位置は、覆っている位置から取り除かれて、分配のために製品を露出する。フラップは、露出した製品の上で再閉可能である。
【０００７】
フラップは、再閉した位置で接着して固定され得る。
【０００８】
さらに、パッケージの平面シートは、ホイルまたは紙あるいはそれらの組み合わせから形成され得る。
【０００９】
本発明のパッケージは、折り畳まれたシートを密閉するためにフラッドコートヒートシール、および折り畳み可能なフラップのための恒久的および解放可能なコールドシールの組み合わせを利用する。
【図面の簡単な説明】
【００１０】
【図１】本発明のポーチを形成するために使用される材料のロールの平面図である。
【図２】本発明のポーチを形成するために使用される図１の材料のロールからのシートカットの平面図である。
【図３】ポーチを形成する構成で折り畳まれる図２のシートを示す。
【図４】ヒートシール位置およびコールドシール位置の両方を含む、本発明の形成されたポーチを示す。
【図５】開口状態における本発明のポーチを示す。
【図６】閉位置および密閉位置における本発明の製品を示す。
【図７】取り除くためのガムスラブを露出する開口状態における本発明のポーチを示す。
【図８】再閉状態における本発明のポーチを示す。
【図９】形成の間の本発明のポーチのさらなる実施形態を示す。
【図１０】接着剤が付与された図９のポーチを示す。
【図１１】閉位置における図９のポーチを示す。
【図１２】開位置における図９のポーチを示す。
【図１３】対面して垂直配向に配置された複数のガムスラブを収容するための本発明のポーチのさらなる実施形態を示す。
【図１４】対面して水平配向に配置された複数のガムスラブを収容するための本発明のポーチのさらなる実施形態を示す。
【図１５】恒久的および解放可能な接着剤の両方を有する、本発明のポーチのさらなる実施形態を示す。
【図１６】図１５のポーチの断面図である。
【図１７】開口状態における図１６のポーチを示す。
【図１８】再閉状態における図１６のポーチを示す。
【図１９】ハングタグを利用する本発明のさらなる実施形態の平面図である。
【図２０】折り畳み可能な上側および下側フラップを利用する本発明の再閉可能なポーチのさらなる実施形態を示す。
【図２１】折り畳み可能な上側および下側フラップを利用する本発明の再閉可能なポーチのさらなる実施形態を示す。
【図２２】２つの垂直配向された製品が単一のシートから形成され得る、本発明のなおさらなる実施形態を示す。
【発明を実施するための形態】
【００１１】
図１〜８を参照して、より具体的には図６および７に示されるポーチ１０は、複数の菓子製品、好ましくはガムスティック１２を含有し、分配するように使用される。ガムスティックは、好ましくは、外側ラッパーでラップされ、並んだアレイで配置されてもよい。ラップされたガムスティックが示されるが、ラップされ、およびラップされていないものの両方のガムスティックの任意の構成が利用されてもよいことは、本発明の意図する範囲内である。さらに、ポーチ１０は、そのポーチに効率的に収容されるように並んだ配向、または対面した配向、または任意の他の配向に配置されるチューイングガム、チョコレート、またはキャンディなどの様々な消費製品を含有し、分配するように使用されてもよいことが意図される。
【００１２】
図１をより具体的に参照して、本発明のポーチは、材料のロール１４から形成され得る。材料は、単層または多層の紙、フィルム、ホイルまたはそれらの組み合わせを含んでもよい。この示した実施形態において、ホイル材料がポーチ１０を形成するために使用される。材料のロール１４は、その１つの表面で熱により活性化される接着剤でフラッドコーティングされる。フラッドコーティングは、材料の表面全体を覆う。本明細書以下に詳細に記載されるように、フラッドコーティングされた接着剤は選択された位置で熱活性化され得る。
【００１３】
ポーチ１０を形成するために使用される個々のシート１６は、ロール１４から形成され、そのロールから「２つ続き（ｔｗｏ  ｕｐ）」で延び、次いで２つの鏡像のシートを作成するように分割される。各シート１６は２つの対向する平面を含み、図１に示す第１の面１６ａはフラッドコーティングされた面であり、図３および４に示す第２の面１６ｂはその反対側にある。シート１６がロール１４から切断されると、各シートは、反対面１６ｂに恒久的および再配置可能な密閉位置が設けられる。シートの１つの面上のヒートシールおよび反対面上の再配置可能な密閉のこの配置により、便宜的な製造が可能となる。なぜなら、シートの一端に配置される熱により活性化される接着剤を有する材料が、ロール上に供給され得るからである。
【００１４】
好ましい再配置可能な密閉はコールドシールであるが、本発明は、再配置可能なコールドシールに限定されない。他の再配置可能な密閉も利用されてもよいことが意図される。例えば、ホットメルト接着剤も利用されてもよい。ホットメルト接着剤は、コールドシールと同様の再配置可能な特徴を与えることができる。
【００１５】
レーザー切り込み線１８が、シート１６の一端に隣接してシート１６に配置される。レーザー切り込み線１８は、ほぼ湾曲または「スマイルカット」形状を有する。レーザー切り込み線１８は、容易に裂くことを可能にする深さで配置されるが、シートの障壁特性を維持するようにシート全体にわたって延在されない。好ましい実施形態としてレーザー切り込み線が本明細書に示されるが、ミシン目などの任意の同様のシート内の部分的切り込み線またはカッティングが、利用されてもよい。そのようなミシン目は、ローラーディスクまたは他の従来の穿孔技術の使用によってシート内に配置されてもよい。
【００１６】
図２を参照して、ロール１４からの１つのシート１６は、本発明のポーチ１０を形成するために使用されてもよい。複数のラップされたガムスティック１２は、水平折り目１７より上の上半分１５のシート１６上に配置される。わずかな接着性タックが、ガムスティック１２をシート１６の面１６ａに支持するために使用されてもよい。
【００１７】
図３に示すように、シート１６の下半分１９は、折り目１７に沿って折り畳まれ、上半分１５で支持されたガムスティック１２の上にもたらされてもよい。そのように折り畳まれると、レーザー切り込み線１８は、ガムスティック１２の上側端部１２ａに隣接し、ガムスティック１２の上側端部１２ａにわたって配置される。折り畳まれた下半分１９は、上半分１５に対して押し付けられて、ガムスティック１２を支持するポーチ内部１１を形成する。次いでフラッドコーティングされたヒートシール材料が、図４の斜線で示す境界位置２０に沿って活性化される。これは、ポーチ内部１１にガムスティックを密閉して保持するために密閉されたポーチを提供する。
【００１８】
上述のように、シート１６の反対面１６ｂは、恒久的および再配置可能な両方の密閉位置を含む。図４に示すように、反対面１６ｂは、折り畳まれたシート１６をポーチ状の底部２７および折り畳み可能なフラップ２９に分離する折り目２５のいずれかの側に配置される一対の恒久的なコールドシール位置２２および２４を含む。恒久的なコールドシール位置２２および２４は、ほぼ半卵円の形状であり、フラップが、下側ポーチ部分に折り畳まれる場合、コールドシール位置は互いに重なるように提供され、構成される。シート１６の面１６ｂはまた、複数の再配置可能なコールドシールスポット２６および２８を含む。スポット２６および２８はフラップ２９および下側ポーチ部分２７に配置されるので、フラップ２９が下側ポーチ部分２７に折り畳まれる場合、解放可能なコールドシールスポットが配置される。上記のように、再配置可能なコールドシールが好ましいが、その位置は、ホットメルトシールなどの他のシールによって形成されてもよい。
【００１９】
図５に示すように、下側ポーチ部分２７の恒久的なコールドシール位置２４は、湾曲してレーザーで切り込み線をつけられた位置１８の範囲内に位置する。フラップ２９が下側ポーチ部分２７に折り畳まれる場合、コールドシール位置２２および２４は、下側ポーチ部分２７の上でフラップ２９と近接し、密閉するように結合し、同様に解放可能なコールドシール位置２６および２８も結合する。
【００２０】
ここで、図７および８を参照して、１つ以上のガムスティック１２を取り出すためにポーチ１０を開口するために、フラップ２９が下側ポーチ部分２７から上に持ち上げられる。図４に示す恒久的なコールドシール位置２２と２４との間の結合により、フラップ２９は、恒久的に、レーザーで切り込み線をつけた位置１８に隣接する下側部分２７に接着し、それによって、フラップ２９を上に持ち上げる際に、パッケージはレーザー切り込み線１８に沿って裂かれる。従って、フラップ２９の開口により、レーザー切り込み線の範囲内に含まれているシートの部分１６ａが引き出され、フラップ２９により、下側ポーチ部分２７は、ガムスティック１２の上側端部１２ｂに隣接して開口する。これにより、消費者が、１つ以上のガムスティックを取り出すためにガムスティックを手に取ることができる。
【００２１】
消費者が、ポーチ１０から所望の数のガムスティックを取ると、ポーチは、下側フラップ部分２７に再びフラップ２９を折り畳むことによって再閉され得る。この配置およびコールドシールスポット２６と２８との間の結合により、フラップ２９を、下側ポーチ部分２７の上に閉状態に保持することが可能となる。しかしながら、これらのコールドシールスポットは再配置可能であるので、フラップは、複数回、開口され、再閉され得る。
【００２２】
ここで、本発明のさらなる実施形態を図９〜１２に関連して示す。
【００２３】
特定の状況において、審美的、印刷および環境などの目的のために、ポーチは、その上に、オーバーラッカーと呼ばれる、ラッカーコーティングを含んでもよい。そのような状況において、本発明は、ポーチの再閉性を提供するためのさらなる技術を提供する。
【００２４】
図９を参照して、ポーチ１１０は、上記のポーチ１０と実質的に同様であり、ポーチを形成するために折り畳まれるシート１１６を含む。ヒートシールが境界位置１１０に使用される。切り込み線１１８は、シート１１６に位置し、ほぼ曲線状または半卵形構造を有する。切り込み線１１８は、容易に裂くことができる深さで配置されるが、その障壁特性を維持するために、シート全体にわたって延在されない。切り込み線は好ましくは、レーザーによってつけられ得る。しかしながら、打ち抜き型ミシン目などの他の切り込み線付け技術が利用されてもよい。シート１１６は積層材料から形成されてもよく、それによって、切り込み線は、積層体の１つの層に存在するか、または２つのオフセットした切り込み線が、積層体のいずれかの層に設けられる。
【００２５】
ポーチは、折り畳まれたシート１１６を、折り畳まれたポーチ状底部１２７と折り畳み可能なフラップ１２９に分けるために、折り目１２５のいずれかの側に位置する、一対の恒久的なコールドシール位置１２２および１２４を含む。フラップ１２９が下側ポーチ部分１２７に折り畳まれる場合、コールドシール位置が互いに重なるように、恒久的なコールドシール位置１２２および１２４が、設けられ、配置される。上記の実施形態と同様に、フラップ１２９が下側ポーチ部１２７に折り畳まれる場合、コールドシール位置１２２および１２４は、下側ポーチ部１２７の上でフラップ１２９と近接し、密閉するように結合する。
【００２６】
上記の実施形態と同様に、１つ以上のガムスティック１１２を取り出すためにポーチ１１０を開口するために、フラップ１２９は、下側ポーチ部分１２７から持ち上げられる。恒久的なコールドシール位置１２２と１２４との間の結合により、フラップは切り込み線位置１１８で恒久的に接着するので、フラップ１２９を持ち上げることにより、切り込み線に沿ってパッケージが裂かれる。従って、フラップ１２９の開口により、フラップとともにシートの一部１１７が引き出され、それによって、ポーチが開口し、その中に含まれるガムスティック１１２を露出する。
【００２７】
しかしながら、本発明は、オーバーラッカー塗装の材料に特に有用である再閉可能な特徴を提供する。図９を参照して、オーバーラッカーがポーチに適用され、恒久的なコールドシール位置１２２の下側のポーチ部分１３０にはラッカーは含まない。様々な技術およびマスクが、ラッカーがこの部分１３０に適用されるのを防ぐために使用されてもよい。その後、図１０に示すように、粘着性の接着材料１３２がその部分１３０に適用されてもよい。この部分に沿ってラッカーコーティングが存在しないので、粘着性の接着材料が恒久的にポーチを接着する。図１１において、フラップ１２９は閉じているが、コールドシール位置１２２および１２４が接着するだけでなく、ポーチ１２９の上側範囲も、部分１３０で粘着性の接着剤１３２に接着している。ポーチはオーバーラッカーされているため、粘着性の接着剤とラッカーされていない部分１３０との間の接着剤による結合は、粘着性の接着剤とラッカーされたフラップ１２９との間の接着剤による結合より強い。従って、粘着性の接着剤は、ラッカーされていない部分１３０に接着されたままであり、フラップは、粘着性の接着剤に解放可能に接着して固定される。
【００２８】
オーバーラッカーを有するパッケージが示されるが、パッケージ上にニスを有するパッケージまたはホイルパッケージなどの他のパッケージ構造もまた、本発明に従って使用されてもよい。
【００２９】
上記のように、本発明のポーチは、様々な配向に配置される、ラップされるか、またはラップされていないガムスラブを収容するように構成されてもよい。例えば、図１３は、ポーチ２１０において、対面して直立しているか、または垂直配向に支持されているラップされたガムスティック２１２を示す。ポーチ２１０は、そのような配向においてスティック２１２を支持するように構成される。
【００３０】
なおさらに図１４に示すように、ポーチ３１０は、ラップされたガムスティックを対面して水平方向に支持するように構成される。
【００３１】
もちろん、本明細書中に示される実施形態は、いかなる特定の構成にも限定されないことは理解されるべきである。ポーチは、様々なサイズおよび形状であってもよく、スタンドアップバッグおよびハンギングバッグを含んでもよい。コーナーを含む、ポーチの側部は、審美的に望まれるように円形であっても曲線形であってもよい。
【００３２】
本発明のなおさらなる実施形態を図１５〜１８に示す。この実施形態において、ポーチの底部に対するフラップの恒久的な接着は、恒久的な接着および再閉可能な接着の両方の組み合わせと置き換えられる。本発明のポーチ４１０は、ポーチを形成するために折り畳まれるシート４１６を含む、上記の実施形態と実質的に同様である。ヒートシールが境界位置４２０に使用される。折り畳まれたシート４１６は、折り目４２５を含み、その折り畳まれたシート４１６にわたって延びる折り目４２５は、ポーチを底部４２７および折り畳み可能なフラップ４２９に分ける。下側部分４２７の上にフラップ４２９を折り畳む際に、フラップは、Ｕ字形の解放可能なシール４３０および恒久的な接着剤４４０の組み合わせによって下側部分４２７に接着される。図１５および１６に示すように、切り込み線４３０は、解放可能なシールに沿ってフラップ４２９に位置するが、第２の切り込み線４３５は、内側の切り込み線４３０のほぼ外側の下側ポーチ部分に位置する。フラップ４２９が下側部分４２９の上で閉じられる場合、フラップ４２８の内側半円形部分は、恒久的な様式で下側部分に固定される。
【００３３】
図１７を参照して、フラップ４２９が開口する場合、下側部分４２７の半円形部分４２７ａは、恒久的な接着剤によってフラップ４２９に接着したままであり、切り込み線の位置のために、下側部分４２７からその部分を持ち上げられて、その中に含まれるガムスティックを露出する。部分的な切り込み線のために、解放可能な接着剤４３０は下側部分に残ったままであり、それによって、フラップ４２９は、図１８に示すように再閉され、フラップをＵ字形の解放可能な接着剤に沿って下側部分に再接着することができる。これにより、フラップが、数回再開閉することができ、ガムスティックを何度も分配することができる。
【００３４】
図１９を参照して、本発明のさらなる実施形態を示す。この実施形態において、ポーチ５１０は、ガムスティックなどを表示して販売するハングバッグとして使用されるタイプであってもよい。ポーチ５１０の上側範囲は、ポーチをくぎなどから吊るすために使用され得る開口部５１１を有するハングタグを含む。ポーチ５１０は、下側部分５２７の上に折り畳まれるフラップ５２９を含む。この実施形態において、フラップ５２９は、下側部分５２７の上側範囲に折り畳まれるのみである。上記のタイプの半円形の切り込み線をつけた位置５１５は、パッケージを開口して、個々に分配するためにガムスティックを露出するように使用されてもよい。開口部５１５は、フラップ５２９を開口する際に開口可能である。フラップ５１９は、解放可能なシールを用いて下側部分５２７とともに再開閉可能である。
【００３５】
ここで、図２０および２１を参照して、再閉可能なポーチのなおさらなる実施形態を示す。一実施形態において、ポーチ６１０は、複数の消費製品６１２を支持するために使用される。ポーチは、後壁６１５、折り畳み可能な下側前フラップ６１７、および折り畳み可能な上側フラップ６１９を備える。上側および下側フラップは製品を囲むように折り畳まれる。フラップの１つに配置されるレーザーまたは切り込み線カットとともに下側フラップの上を上側フラップで覆うことにより、上記のようにフラップを開口する際に取り除くための製品６１２を露出する。再閉可能な接着剤６２１は、ポーチ６１０を再開閉するために使用されてもよい。
【００３６】
ここで、図２１を参照して、ポーチ７１０は、上記のポーチ６１０と実質的に同様である。しかしながら、この実施形態において、上側フラップ７１９は、レーザーまたは切り込み線カットを使用せずに製品７１２を露出するために下側フラップ７１７に対して開口可能である。
【００３７】
図２２を参照して、本発明のなおさらなる実施形態を示す。ポーチ８１０は複数のガムスティック８１２を支持するために使用される。ポーチ８１６は、折り畳み可能な上壁８１９および折り畳み可能な下壁８１７を含む。シート材料からポーチを形成する際に、下側フラップ８１７を形成する端部は、シングルカットにより互いに垂直に隣接して形成されるので、材料の節約が得られる。
【００３８】
項目
項目１
複数の消費製品と、
前記製品を保持し、封入するための製品パッケージと、
を含み、
前記パッケージは、前記製品の周囲で折り畳まれる平面シートから形成され、折り畳まれた前記シートは、前記製品を覆う部分と、折り畳み可能なフラップを画定するために前記製品を越えて延びる延在部とを画定し、
前記シートは、前記製品の少なくとも一部を覆う位置に切り込み線を付けられ、
前記折り畳み可能なフラップは、前記切り込み線を付けられた位置の上で折り畳まれ、接着して固定されるので、前記フラップを開口する際に、前記切り込み線を付けられた位置は、覆っている前記位置から取り除かれて、分配するために前記製品を露出し、
前記フラップは、露出された前記製品の上で再閉可能である、
再閉可能な消費製品パッケージアセンブリ。
【００３９】
項目２
前記フラップは、再閉位置において、解放可能に接着して固定される、項目１に記載の再閉可能なパッケージアセンブリ。
【００４０】
項目３
前記平面シートは、ホイルから形成される、項目１または２に記載の再閉可能なパッケージアセンブリ。
【００４１】
項目４
前記平面シートは、紙とホイルの組み合わせから形成される、項目１〜３に記載の再閉可能なパッケージアセンブリ。
【００４２】
項目５
前記切り込み線は、レーザー切り込み線である、項目１〜４に記載の再閉可能なパッケージアセンブリ。
【００４３】
項目６
前記シートは、その側端の周囲でヒートシールされる、項目５に記載の再閉可能なパッケージアセンブリ。
【００４４】
項目７
前記製品は、並んだアレイで配置される、細長いガムスラブである、項目１〜６に記載の再閉可能なパッケージアセンブリ。
【００４５】
項目８
前記平面シートは、その１つの表面上にフラッドコートヒートシールおよびそのいずれかの表面上にコールドシール位置を含む、項目１〜７に記載の再閉可能なパッケージアセンブリ。
【００４６】
項目９
前記コールドシール位置は、前記切り込み線の位置で結合するための恒久的なコールドシールおよび前記フラップを再閉するための解放可能なコールドシールを含む、項目１〜８に記載の再閉可能なパッケージアセンブリ。
【００４７】
項目１０
前記平面シートは、ロールで供給される、項目１〜８に記載の再閉可能なパッケージアセンブリ。
【００４８】
項目１１
前記製品パッケージは、その上にオーバーラッカーコーティングを有する、項目１〜７に記載の再閉可能なパッケージアセンブリ。
【００４９】
項目１２
覆っている位置は、前記オーバーラッカーコーティングを含まない範囲を含み、前記範囲は、その上に再閉可能な接着剤を含む、項目１１に記載の再閉可能なパッケージアセンブリ。
【００５０】
項目１３
前記折り畳み可能なフラップは、前記覆っている位置で解放可能な接着剤と解放可能に接着して結合する、項目１２に記載の再閉可能なパッケージアセンブリ。
【００５１】
項目１４
前記折り畳み可能なフラップは、恒久的な接着剤を用いて前記切り込み線の位置で固定される、項目１に記載の再閉可能なパッケージアセンブリ。
【００５２】
項目１５
前記折り畳み可能なフラップは、解放可能な接着剤によってさらに固定される、項目１４に記載の再閉可能なパッケージアセンブリ。
【００５３】
項目１６
前記製品は、対面したアレイで配置される細長いガムスティックである、項目１に記載の再閉可能なパッケージアセンブリ。
【００５４】
項目１７
前記折り畳まれたシートは、下側フラップを含み、前記下側フラップは、前記切り込み線の位置を含む、項目１に記載の再閉可能なパッケージアセンブリ。
【００５５】
項目１８
前記フラップは、前記下側フラップの上で折り畳み可能である、項目１７に記載の再閉可能なパッケージアセンブリ。
【００５６】
上述に記載および示した構造に対する種々の変更が当業者により明らかになるであろう。従って、本発明の特定の開示される範囲は添付の特許請求の範囲に記載される。
【図１】
0005421395.tif 000002
【図２】
0005421395.tif 000003
【図３】
0005421395.tif 000004
【図４】
0005421395.tif 000005
【図５】
0005421395.tif 000006
【図６】
0005421395.tif 000007
【図７】
0005421395.tif 000008
【図８】
0005421395.tif 000009
【図９】
0005421395.tif 000010
【図１０】
0005421395.tif 000011
【図１１】
0005421395.tif 000012
【図１２】
0005421395.tif 000013
【図１３】
0005421395.tif 000014
【図１４】
0005421395.tif 000015
【図１５】
0005421395.tif 000016
【図１６】
0005421395.tif 000017
【図１７】
0005421395.tif 000018
【図１８】
0005421395.tif 000019
【図１９】
0005421395.tif 000020
【図２０】
0005421395.tif 000021
【図２１】
0005421395.tif 000022
【図２２】
0005421395.tif 000023